(57)【特許請求の範囲】
【請求項１】
調理容器と、
この調理容器内に供給するマイクロ波を発生するマイクロ波発振器と、
このマイクロ波発振器に必要な電源を作成して供給する、スイッチング素子を有する電子ユニットと、
基部が機内に位置して前記電子ユニットに外部電源を供給する電源コードとを具備すると共に、
前記電子ユニットを取付けた金属製の取付板を具備し、
前記電子ユニットを、前記取付板により前記電子ユニットと前記電源コードの基部との間を遮るように配置したことを特徴とする電子レンジ。
【請求項２】
電源コードの基部を接続したノイズフィルタを具備すると共に冷却ファンを具備し、この冷却ファンが生成する冷却風の通路に、ノイズフィルタと電子ユニットとを位置させたことを特徴とする請求項１記載の電子レンジ。
【請求項３】
電子ユニットを、絶縁板を介して取付板に取付けたことを特徴とする請求項１記載の電子レンジ。
【請求項４】
冷却ファンを具えると共に、絶縁板に、冷却ファンが生成する冷却風を電子ユニット中に導く導風板を設けたことを特徴とする請求項３記載の電子レンジ。
【請求項５】
調理容器と、
この調理容器に供給するマイクロ波を発生するマイクロ波発振器と、
このマイクロ波発振器に必要な電源を作成して供給する、スイッチング素子を有する電子ユニットと、
基部が機内に位置して前記電子ユニットに外部電源を供給する電源コードと、
この電源コードの基部が接続されたノイズフィルタとを具備する共に、
前記電子ユニット及びノイズフィルタを取付けた金属製の取付板を具備し、
その取付板に前記電子ユニットとノイズフィルタとの間を遮蔽する遮蔽板を一体に形成したことを特徴とする電子レンジ。
【請求項６】
電子ユニットとノイズフィルタとを、取付板の同一側面に取付けたことを特徴とする請求項５記載の電子レンジ。
【請求項７】
冷却ファンを具えると共に、遮蔽板に、冷却ファンが生成する冷却風を通す通風孔を形成したことを特徴とする請求項５記載の電子レンジ。
【発明の詳細な説明】
【０００１】
【発明の属する技術分野】
本発明はノイズ対策構造を改良した電子レンジに関する。
【０００２】
【従来の技術】
近年、電子レンジにおいては、調理容器内に供給するマイクロ波を発生するマイクロ波発振器に必要な電源を、スイッチング素子を有する電子ユニット、例えばインバータ装置により作成して供給するものが供されている。このインバータ装置は、外部から電源コードにより供給される電源を、電圧で例えば４０００  〔Ｖ〕にまで上げてマイクロ波発振器に供給するものであり、マイクロ波発振器は、それにより例えば２４５０〔ＭＨｚ〕のマイクロ波を発生し、これが調理容器内に供給されるようになっている。
【０００３】
しかして、インバータ装置が上述のように作動するとき、インバータ装置からは、スイッチング素子のスイッチング動作によってノイズが発生する。このノイズは、電子レンジの電源コードを伝って外部に出、更に、その電源コードが接続された家屋の内部配線を伝って、これに接続された他の電気機器、例えばテレビやラジオ等に雑音発生の悪影響を与えるおそれがある。
【０００４】
このため、電子レンジにおいては、ノイズを取除くノイズフィルタが具えられ、これが電源コードとの接続部分に設けられ、すなわち、ノイズフィルタに電源コードの基部が接続されて、上記インバータ装置で発生したノイズが電源コードに伝わらないようにしている。
又、その電源コードには、インバータ装置から空中に放出されたノイズが伝わるおそれがあり、このため、インバータ装置と、機内に位置した電源コードの基部との間には、できる限り大きな距離が確保されるようになっている。
【０００５】
【発明が解決しようとする課題】
しかしながら、上述のようにインバータ装置と電源コードの基部との間に、できる限り大きな距離が確保されていたものでは、それらを配置する機械室の大きさが大きく必要で、その分、電子レンジ全体が大形化するという問題点を有していた。
【０００６】
本発明は上述の事情に鑑みてなされたものであり、従ってその目的は、主として、電子ユニットと電源コードの基部との間に大きな距離を確保することなく、電子ユニットから空中に放出されたノイズが電源コードの基部に伝わるのを防止できて、全体の小形化ができる電子レンジを提供するにある。
【０００７】
【課題を解決するための手段】
上記目的を達成するために、本発明の電子レンジにおいては、
調理容器と、
この調理容器内に供給するマイクロ波を発生するマイクロ波発振器と、
このマイクロ波発振器に必要な電源を作成して供給する、スイッチング素子を有する電子ユニットと、
基部が機内に位置して前記電子ユニットに外部電源を供給する電源コードとを具備すると共に、
前記電子ユニットを取付けた金属製の取付板を具備し、
前記電子ユニットを、前記取付板により前記電子ユニットと前記電源コードの基部との間を遮るように配置したことを特徴とする（請求項１の発明）。
【０００８】
このものによれば、電子ユニットを取付けた金属製の取付板が、電子ユニットと電源コードの基部との間を遮ることにより、電子ユニットのスイッチング素子から空中に放出されたノイズが電源コードの基部に伝わるのが、その取付板により防止される。よって、電子ユニットと電源コードの基部とを近付けて配置でき、その分、機械室の大きさを小さく済ませ得、電子レンジ全体の小形化が可能となる。
しかも、取付板は、本来、電子ユニットの取付けに供する部品であり、それを巧みに利用して上述のノイズの遮断がなされる。
【０００９】
この場合、更に冷却ファンを具え、この冷却ファンが生成する冷却風の通路に、電源コードの基部が接続されたノイズフィルタと電子ユニットとを位置させることにより、それらノイズフィルタと電子ユニットとの冷却が、それらの距離が小さいことと合わせ、効率良くなされるようになる（請求項２の発明）。
【００１０】
又、電子ユニットを、絶縁板を介して取付板に取付けることにより、上述のノイズを遮断するためとはいえ導電性を有する金属製の取付板に対する電気絶縁性が良好に確保される（請求項３の発明）。
更に、絶縁板には、冷却ファンが生成する冷却風を電子ユニット中に導く導風板を設けることにより、電子ユニットの冷却が効果的になされるようになる（請求項４の発明）。
【００１１】
そして又、本発明の電子レンジにおいては、
調理容器と、
この調理容器内に供給するマイクロ波を発生するマイクロ波発振器と、
このマイクロ波発振器に必要な電源を作成して供給する、スイッチング素子を有する電子ユニットと、
基部が機内に位置して前記電子ユニットに外部電源を供給する電源コードと、
この電源コードの基部が接続されたノイズフィルタとを具備する共に、
前記電子ユニット及びノイズフィルタを取付けた金属製の取付板を具備し、
その取付板に前記電子ユニットとノイズフィルタとの間を遮蔽する遮蔽板を一体に形成したことをも特徴とする（請求項５の発明）。
【００１２】
このものでは、電子ユニット及びノイズフィルタを取付けた金属製の取付板に一体に形成した遮蔽板が、電子ユニットとノイズフィルタとの間を遮ることにより、電子ユニットのスイッチング素子から空中に放出されたノイズがノイズフィルタに接続された電源コードの基部に伝わるのが、その遮蔽板によって防止される。よって、この場合も、電子ユニットと電源コードの基部とを近付けて配置でき、その分、機械室の大きさを小さく済ませ得、電子レンジ全体の小形化が可能となる。
【００１３】
しかも、取付板は、本来、電子ユニットとノイズフィルタとの取付けに供する部品であり、それを巧みに利用して遮蔽板の形成がなされ、そして、上述のノイズの遮断がなされる。
【００１４】
加えて、この場合、ノイズフィルタと電子ユニットとを、取付板の同一側面に取付けることにより、それらノイズフィルタと電子ユニットとの冷却がしやすくなる（請求項６の発明）。
又、遮蔽板に、冷却ファンが生成する冷却風を通す通風孔を形成することにより、電子ユニットとノイズフィルタの冷却が効果的になされるようになる（請求項７の発明）。
【００１５】
【発明の実施の形態】
以下、本発明の第１実施例につき、図１ないし図４を参照して説明する。
まず、図１には、電子レンジの機械室１部分を示しており、この機械室１は、外箱２内に、調理容器３と横に並べて形成している。この機械室１内に配置した部品中、導波管４は、マイクロ波発振器、この場合、マグネトロン５が発生するマイクロ波を調理容器３内に供給するためのもので、調理容器３の外側面に例えば溶接により取付けており、この導波管４の外側面にマグネトロン５をねじ６により取付けている。
【００１６】
マグネトロン５の後方（図１中、右側）には冷却ファン７を配置しており、この冷却ファン７は、送風羽根８と、この送風羽根８を回転駆動するモータ９、送風羽根８を囲繞する通気口１０ａを有する通気枠１０、及び取付枠１１から成っており、その取付枠１１を介してモータ９と通気枠１０とを、機械室１及び調理容器３後方の後板１２にねじ１３，１４，１５により取付けている。
【００１７】
又、この冷却ファン７に対応して後板１２には、多数の通気孔１６を形成しており、冷却ファン７は、機外の空気をその通気孔１６から吸入してマグネトロン５側に吐出することにより、マグネトロン５を初めとする機械室１内の部品を冷却する冷却風を図１に矢印で示すごとく生成するようになっている。
【００１８】
マグネトロン５の風下側である前方（図１中、左側）には、ダクト１７を、調理容器３の外側面にねじ１８により取付けて配置しており、このダクト１７は、上述の冷却ファン７で生成されてマグネトロン５を冷却した冷却風を通して、調理容器３内に導くようになっており、この関係上、調理容器３の、ダクト１７の先端部と対応した部分には、調理容器３内に通じる通気孔（図示せず）を形成している。
【００１９】
なお、調理容器３内に導かれた冷却風は、その後、調理容器３内を通って、該調理容器３背部の通気孔（これも図示せず）から、後板１２の上記通気孔１６とは別の通気孔（これも図示せず）を通して機外に排出されるようになっている。
【００２０】
一方、マグネトロン５の下方には電子ユニット１９を配置している。この電子ユニット１９は、マグネトロン５の作動に必要な電源を作成して供給するもので、詳細には図２及び図３に示すように、放熱フィン２０ａを一体化した整流器２０と、チョークコイル２１、放熱フィン２２ａ，２３ａをそれぞれに一体化したスイッチング素子（例えばＩＧＢＴ）２２，２３、トランス２４、コンデンサ２５，２６、整流器２７，２８、コンデンサ２９，３０，３１、制御用ＩＣ３２，３３、及び抵抗３４など、多数の電子部品を有し、それらを回路基板３５に実装して組成したインバータ装置から成っている。
【００２１】
この電子ユニット１９は、回路基板３５を絶縁板３６上に載置している。この絶縁板３６は、電気絶縁材例えばプラスチックにより作製したもので、回路基板３５よりやゝ大きなほゞ矩形状を成す主板部３６ａと、この主板部３６ａの前縁部を除く残り三方の縁部上に形成した、例えば補強用であり且つ回路基板３５の位置決め用であるリブ３６ｂ、このリブ３６ｂに連ねて主板部３６ａの右側（図２中、下側）の縁部の後部に主としてトランス２４を覆うように立設した第１の側板部３６ｃ、並びにリブ３６ｂに連ねて主板部３６ａの左側（図２中、上側）の縁部の前部寄りの中間部に主として放熱フィン２２ａ，２３ａを覆うように立設した第２の側板部３６ｄを有している。
【００２２】
このうち、第１の側板部３６ｃは、全部がリブ３６ｂに沿うように立設しているのに対して、第２の側板部３６ｄは、基端部のみリブ３６ｂに連なって、先端ほどリブ３６ｂから大きく離間する傾斜状に立設している。
【００２３】
更に、この絶縁板３６は、取付板３７上に載置している。この取付板３７は金属、例えば亜鉛メッキ鋼板により作製したものであり、絶縁板３６の主板部３６ａより前後長がやゝ小さいほゞ矩形状を成す主板部３７ａと、この主板部３７ａの全周縁部下に形成した例えば補強用のリブ３７ｂ、このリブ３７ｂに連ねて主板部３７ａの右側縁部の前部から下方へ突設した第１の脚部３７ｃ、リブ３７ｂに連ねて主板部３７ａの左側縁部の後部から同じく下方へ突設した第２の脚部３７ｄ、及びリブ３７ｂに連ねて主板部３７ａの後縁部から同じく下方へ突設した第３の脚部３７ｅを有している。又、この場合、第１の脚部３７ｃは、第２及び第３の脚部３７ｄ，３７ｅより長く突設しており、更に、主板部３７ａの左側の最前部には取付耳部３７ｆを突設している。
【００２４】
この構成で、前記電子ユニット１９は、回路基板３５を、絶縁板３６の主板部３６ａから取付板３７の主板部３７ａに複数個のねじ３８により結合することによって、絶縁板３６を介し、取付板３７に取付けている。
【００２５】
そして、その状態で、取付板３７の第１ないし第３の脚部３７ｃ〜３７ｅを、前記調理容器３及び機械室１下方の底板３９にそれぞれねじ４０により取付けており、もって、電子ユニット１９を前上がりの傾斜状態で前記機械室１に配置している。なお、この配置状態で、絶縁板３６の第２の側板部３６ｄは、先端が前記調理容器３の外側面に当接しており、第１の側板部３６ｃは、外側面全体が前記外箱２の内側面にほゞ当接するようになっている。
【００２６】
又、この電子ユニット１９の傾斜配置に合わせて、前記マグネトロン５及びダクト１７もそれとほゞ平行な傾斜状に配置している。更に、取付板３７は上述の取付けにより底板３９に電気的に導通され、そして、底板３９が後板１２に電気的に導通していて、この後板１２がアースされるようになっていることにより、取付板３７もアースされるようになっている。
【００２７】
しかして、電子ユニット１９の傾斜配置により該電子ユニット１９の前部の下方に生じたスペースから更にその前方にかけた部分には、ノイズフィルタ４２を配置している。このノイズフィルタ４２も、詳細には図４に示すように、コンデンサ４３，４４と、チョークコイル４５、ヒューズ４６、バリスタ４７、コンデンサ４８、抵抗４９など、必要な電子部品を有し、それらを回路基板５０に実装して組成している。又、このノイズフィルタ４２には、電源コード５１の基部５１ａを、回路基板５０の後側下部において端子５２，５３に接続している。
【００２８】
このノイズフィルタ４２を、図１に示すように、ねじ５４によって補助取付板５５に取付け、この補助取付板５５を前記調理容器３にねじ５６により取付けている。
この結果、前記電子ユニット１９の取付板３７が、電子ユニット１９とノイズフィルタ４２との間に位置し、ひいては電子ユニット１９と電源コード５１の基部５１ａとの間に位置して、それらの間を遮っている。
【００２９】
なお、取付板３７の取付耳部３７ｆはねじ５７によって補助取付板５５に取付けている。又、電源コード５１は、基部５１ａが機内である機械室１内に位置する以外、他の部分は底板３９に装着したブッシング５８から機外に位置し、その先端部に、図示しない電源コンセントに差込み接続される差込プラグ５９を有している。
【００３０】
更に、底板３９は、電子ユニット１９及びノイズフィルタ４２の下方の部分に多数の通気孔６０を有しており、外下面の角部には脚６１を有している。
このほか、調理容器３の開放した前面の周囲部には前枠６２を装着しており、この前枠６２の機械室１側には、使用者が前記マグネトロン５による調理を制御操作するための操作パネル（図示せず）を取付け、調理容器３側に、該調理容器３の開放口を開閉する扉を設けている（取手６３のみ図示）。
【００３１】
次に、上記構成のものの作用、効果を述べる。
電子ユニット１９が作動するとき、この電子ユニット１９からは、スイッチング素子２２，２３のスイッチング動作によってノイズが発生する。このノイズのうち、導電路を伝うものは、ノイズフィルタ４２によって取除かれ、従って、電源コード５１から家屋の内部配線を伝ってテレビやラジオなど他の電気機器に雑音発生の悪影響を与えるおそれはない。
【００３２】
一方、電子ユニット１９のスイッチング素子２２，２３から空中に放出されたノイズは、上記構成のものの場合、電子ユニット１９と電源コード５１の基部５１ａとの間を遮るように位置した、電子ユニット１９の金属製の取付板３７により遮断されるもので、すなわち、電源コード５１の基部５１ａに、空中に放出されたノイズが伝わるのが、取付板３７によって防止される。従って、この場合も、更に電源コード５１から家屋の内部配線を伝ってテレビやラジオなど他の電気機器に雑音発生の悪影響を与えるおそれはない。
【００３３】
よって、電子ユニット１９と電源コード５１の基部５１ａとを従来のもののように大きく離間させることなく近付けて配置できるものであり、その分、機械室１の大きさを小さく済ませ得、電子レンジ全体の小形化ができる。
【００３４】
この場合、特に上記構成のものでは、電子ユニット１９を傾斜状に配置し、この電子ユニット１９の傾斜配置により該電子ユニット１９の前部の下方に生じたスペースに、電源コード５１の基部５１ａを接続したノイズフィルタ４２を配置しているから、これら電子ユニット１９と電源コード５１の基部５１ａ及びノイズフィルタ４２とを上下方向に重なるように配置でき、もって、それらが占める前後の配置スペースを一段と小さくでき、機械室１の大きさをより小さく済ませ得るから、電子レンジ全体の一層の小形化ができる。
【００３５】
しかも、取付板３７は、本来、電子ユニット１９の取付けに供する部品であり、それを巧みに利用して上述のノイズの遮断ができるのであるから、別にノイズの遮断専用の部品を要さず、それだけ、安価に構成できる。
【００３６】
又、上記構成のものの場合、電子ユニット１９の作動中には冷却ファン７も作動するもので、この冷却ファン７が生成した冷却風は、前述のごとくマグネトロン５からダクト１７を通ることにより、マグネトロン５を冷却すると共に、電子ユニット１９からノイズフィルタ４２を通り、更に、底板３９の通気孔６０を通って機外に抜けることにより、電子ユニット１９及びノイズフィルタ４２を冷却する。
【００３７】
すなわち、上記構成のものの場合には、冷却ファン７が生成する冷却風の通路に、電子ユニット１９とノイズフィルタ４２とが位置するもので、これにより、それら電子ユニット１９とノイズフィルタ４２との冷却を、それらの距離が小さいことと合わせ、効率良く行うことができる。
【００３８】
更に、電子ユニット１９は、外部から電源コード５１により供給された電源を、電圧で例えば４０００〔Ｖ〕にまで上げるものであり、それに対して、取付板３７は上述のノイズを遮断するためとはいえ導電性を有する金属製である。しかし、その電子ユニット１９と取付板３７との間には絶縁板３６を介在させており、これによって、その電子ユニット１９と取付板３７との間の絶縁性を良好に確保することができる。
なお、絶縁板３６は、第１の側板部３６ｃと第２の側板部３６ｄとを有しており、これらによって、電子ユニット１９と外箱２との間、並びに調理容器３との間の絶縁性も良好に確保することができる。
【００３９】
加えて、絶縁板３６の第２の側板部３６ｄは、先端ほど主板部３６ａの左側縁部から大きく離間する傾斜状に設けており、これによって、前記冷却ファン７が生成した冷却風を電子ユニット１９中に導き入れる導風板として機能するから、電子ユニット１９の冷却をより効果的に行うことができる。
【００４０】
以上に対して、図５及び図６は本発明の第２実施例を示すもので、上記第１実施例と同一の部分には同一の符号を付して説明を省略し、異なる部分についてのみ述べる。
このものの場合、前述の取付板３７に代えて、それより前後長の大きな取付板７１を使用し、この取付板７１の同一側面、この場合、上面に、電子ユニット１９と、ノイズフィルタ４２とを前後（図中、左右）に並べて取付けている。
【００４１】
又、この取付板７１は、前述の取付板３７と同様の亜鉛メッキ鋼板など金属により作製したものであり、これの、電子ユニット１９取付部分とノイズフィルタ４２取付部分との間には、それらの間を遮蔽する遮蔽板７２を一体に形成している。なお、この遮蔽板７２の形成は、例えば、取付板７１のノイズフィルタ４２取付部分を切起こすことにより行っており、そのノイズフィルタ４２取付部分には、切起こし跡の開口７３が存在する。
【００４２】
更に、この場合、遮蔽板７２には、多数の通風孔７４を例えばパンチングにより形成している。
このほか、取付板７１には、全周縁部下に例えば補強用のリブ７１ａを形成すると共に、第１ないし第３の脚部７１ｂ〜７１ｄを突設しており、この脚部７１ｂ〜７１ｄにより、取付板７１を前記底板３９上にほゞ水平状態に取付け、同時に前述の取付板３７同様にアースされるようにしている。
【００４３】
このものでは、電子ユニット１９及びノイズフィルタ４２を取付けた金属製の取付板７１に一体に形成した遮蔽板７２が、電子ユニット１９とノイズフィルタ４２との間を遮ることにより、電子ユニット１９のスイッチング素子２２，２３から空中に放出されたノイズがノイズフィルタ４２に接続された電源コード５１の基部５１ａに伝わるのが、その遮蔽板７２によって防止される。よって、この場合も、電子ユニット１９と電源コード５１の基部５１ａとを近付けて配置でき、その分、機械室１の大きさを小さく済ませ得、電子レンジ全体の小形化ができる。
【００４４】
しかも、この場合、取付板７１は、本来、電子ユニット１９とノイズフィルタ４２との取付けに供する部品であり、それを巧みに利用して遮蔽板７２の形成ができ、そして、上述のノイズの遮断ができることにより、別にノイズの遮断専用の部品を要さず、それだけ、安価に構成できる。
【００４５】
加えて、この場合、電子ユニット１９とノイズフィルタ４２とを、取付板７１の同一側面に取付けたことにより、それら電子ユニット１９とノイズフィルタ４２とを取付板７１の表裏両面など異なる面に取付ける場合に比して、冷却風を一側面側にのみ流し得、両面に分配などする必要がないので、それらの冷却をしやすくでき、それだけ又効率良く冷却することができる。
【００４６】
更に、遮蔽板７２には通風孔７４を形成しており、これによって、前述の冷却ファン７が生成した冷却風（図中、矢印参照）を遮蔽板７２に遮られることなく通し、電子ユニット１９とノイズフィルタ４２の冷却を効果的に行うことができる。
このほか、本発明は上記し且つ図面に示した実施例にのみ限定されるものではなく、要旨を逸脱しない範囲内で適宜変更して実施し得る。
【００４７】
【発明の効果】
本発明は以上説明したとおりのもので、下記の効果を奏する。
請求項１の電子レンジによれば、電子ユニットを、これの金属製の取付板によって、電子ユニットと電源コードの基部との間を遮るように配置したことにより、電子ユニットから空中に放出されたノイズが電源コードの基部に伝わるのを、電子ユニットと電源コードの基部との間に大きな距離を確保することなく防止できて、全体の小形化ができる。又、そのためといってノイズの遮断専用の部品を要さず、それだけ、安価に構成できる。
【００４８】
請求項２の電子レンジによれば、冷却ファンが生成する冷却風の通路にノイズフィルタと電子ユニットとを位置させたことにより、電子ユニットとノイズフィルタとの冷却を、効率良く行うことができる。
請求項３の電子レンジによれば、電子ユニットを絶縁板を介して取付板に取付けたことにより、電子ユニットと金属製の取付板との間の絶縁性を良好に確保することができる。
【００４９】
請求項４の電子レンジによれば、絶縁板に、冷却ファンが生成する冷却風を電子ユニット中に導く導風板を設けたことにより、電子ユニットの冷却をより効果的に行うことができる。
請求項５の電子レンジによれば、電子ユニットとノイズフィルタとを取付けた金属製の取付板に、電子ユニットとノイズフィルタとの間を遮蔽する遮蔽板を一体に形成したことにより、請求項１の電子レンジと同様の効果を得ることができる。
【００５０】
請求項６の電子レンジによれば、電子ユニットとノイズフィルタとを取付板の同一側面に取付けたことにより、電子ユニットとノイズフィルタとの冷却をしやすくできる。
請求項７の電子レンジによれば、遮蔽板に、冷却ファンが生成する冷却風を通す通風孔を形成したことにより、電子ユニットとノイズフィルタの冷却を、遮蔽板に邪魔されず効果的に行うことができる。
【図面の簡単な説明】
【図１】本発明の第１実施例を示す電子レンジ全体の機械室部分の縦断側面図
【図２】主要部分の平面図
【図３】主要部分の側面図
【図４】異なる主要部分の側面図
【図５】本発明の第２実施例を示す図２相当図
【図６】図３相当図
【符号の説明】
３は調理容器、５はマグネトロン（マイクロ波発振器）、７は冷却ファン、１９は電子ユニット、２２，２３はスイッチング素子、３６は絶縁板、３６ｄは絶縁板の第２の側板部（導風板）、３７は取付板、４２はノイズフィルタ、５１は電源コード、５１ａは電源コードの基部、７１は取付板、７２は遮蔽板、７４は通風孔を示す。
【図１】
0003677175.tif 000002
【図２】
0003677175.tif 000003
【図３】
0003677175.tif 000004
【図４】
0003677175.tif 000005
【図５】
0003677175.tif 000006
【図６】
0003677175.tif 000007